(57)【特許請求の範囲】
【請求項１】
複数の発泡樹脂ブロックが積み重ねられて垂直面及び水平面が繰り返されてなる階段状の法面と、
前記階段状の法面を覆って垂直面及び水平面が繰り返されてなる階段状の不織布層と、
ネット及び該ネットの内側に充填された土又は土砂を備えるとともに、前記不織布層の水平面に設置される植生ポットと、
を備える、盛土構造体であって、前記不織布層の上端は、前記発泡樹脂ブロックの最上面には敷設されず、前記発泡樹脂ブロックと前記植生ポットとの間に埋設されていることを特徴とする盛土構造体。
【請求項２】
前記植生ポットが前記不織布層の垂直面に対して離隔して設置されており、
前記植生ポットと前記不織布層の垂直面との間の間隔は１ｃｍ以上１０ｃｍ以下であり、かつ、
前記植生ポットと前記不織布層との間に、砕石層、砂層、土層及び土砂層から選ばれる１種以上の層を備える、請求項１に記載の盛土構造体。
【請求項３】
前記不織布層が、一の不織布と他の不織布との間に機能層が設けられたものであって、前記機能層がエンボス加工された樹脂板であることを特徴とする請求項１又は２に記載の盛土構造体。
【請求項４】
固定部材が前記不織布層の水平面を貫通して前記法面の前記水平面に固定されており、該固定部材に前記植生ポットの前記ネットが固定されている、請求項１〜３のいずれか１項に記載の盛土構造体。
【請求項５】
前記ネットは、帯状の前側ネット、帯状の後側ネット、及び、前記前側ネットと前記後側ネットとを接続するジグザグ状の内側ネットを備え、
前記内側ネットは前側及び後側にジグザグの頂点を有し、
前記ジグザグの前側の頂点において、前記前側ネットと前記内側ネットとが、前側連結材を介して連結され、
前記ジグザグの後側の頂点において、前記後側ネットと前記内側ネットとが、後側連結材を介して連結されている、
請求項１〜４のいずれか１項に記載の盛土構造体。
【請求項６】
前記法面の前記水平面に固定部材が固定されており、該固定部材に前記後側ネット及び／又は前記内側ネットが固定されている、請求項５に記載の盛土構造体。
【請求項７】
複数の発泡樹脂ブロックを積み重ねることにより、垂直面及び水平面を有する階段状の法面を形成する、法面形成工程と、
前記階段状の法面を不織布で覆うことにより、垂直面及び水平面を有する階段状の不織布層を形成する、不織布層形成工程と、
ネットと該ネットの内側に充填された土又は土砂とを備える植生ポットを、前記不織布層の水平面に設置する、植生ポット設置工程と、
を備え、前記植生ポット設置工程において、前記不織布層の上端は、前記発泡樹脂ブロックの最上面には敷設されず、前記発泡樹脂ブロックと前記植生ポットとの間に埋設させることを特徴とする、盛土構造体の施工方法。
【請求項８】
前記植生ポット設置工程において、前記植生ポットを、前記不織布層の垂直面に対して離隔するように設置し、
前記植生ポットと前記不織布層の垂直面との間の間隔は１ｃｍ以上１０ｃｍ以下とし、かつ、
前記不織布層の垂直面と前記植生ポットとの間に形成された隙間に、砕石、砂、土及び土砂から選ばれる１種以上を充填する、
請求項７に記載の盛土構造体の施工方法。
【請求項９】
前記不織布層が、一の不織布と他の不織布との間に機能層が設けられたものであって、前記機能層がエンボス加工された樹脂板であることを特徴とする請求項７又は８に記載の盛土構造体の施工方法。
【請求項１０】
前記植生ポット設置工程が、
前記不織布層の水平面を貫通させて前記法面の水平面に固定部材を固定する、固定部材設置工程と、
前記固定部材に前記ネットを固定する、ネット固定工程と、
前記ネットの内側に土又は土砂を充填して植生ポットとする、充填工程と、
を備える、請求項７〜９のいずれか１項に記載の盛土構造体の施工方法。
【請求項１１】
前記ネットは、帯状の前側ネット、帯状の後側ネット、及び、前記前側ネットと前記後側ネットとを接続するジグザグ状の内側ネットを備え、
前記内側ネットは前側及び後側にジグザグの頂点を有し、
前記ジグザグの前側の頂点において、前記前側ネットと前記内側ネットとが、前側連結材を介して連結され、
前記ジグザグの後側の頂点において、前記後側ネットと前記内側ネットとが、後側連結材を介して連結されている、
請求項７〜１０のいずれか１項に記載の盛土構造体の施工方法。
【請求項１２】
前記法面の前記水平面に固定部材を固定し、該固定部材に前記後側ネット及び／又は前記内側ネットを固定する、請求項１１に記載の盛土構造体の施工方法。
【発明の詳細な説明】
【技術分野】
【０００１】
本発明は盛土構造体及び盛土構造体の施工方法に関する。
【背景技術】
【０００２】
特許文献１に開示されているように、発泡樹脂ブロックを用いて階段状の法面を構成するとともに、当該法面を緑化するために、当該法面の水平方向及び垂直方向に植生ポットを複数配置する方法が知られている。ここで、特許文献１では、植生ポットのネットを法面の垂直面に連結部を介して連結することで、植生ポットと法面の垂直面との間の隙間を解消している。
【先行技術文献】
【特許文献】
【０００３】
【特許文献１】特開２０１４−１０９１５９号公報
【発明の概要】
【発明が解決しようとする課題】
【０００４】
通常、発泡樹脂ブロックは透水性がほとんどなく、また植生ポット中の土や土砂は後述の不織布に比べて透水性が低い。そのため、特許文献１に開示されたように、垂直方向に一部重なるように植生ポットが配置された場合、降雨時等において、垂直方向に重なっている植生ポット部分には、水が十分に行きわたり難い。すなわち、植生ポットの内部全体に水を適切に供給（給水）することが難しいため、植生ポットの内部全体に適切な水分を保持（保水）することができず、植物の育成に影響が出る場合がある。また、仮に長期間の降雨等によって植生ポットの内部に浸水しすぎた場合、植生ポットの内部から外部へと効率的に水を除去（排水）することができず、植生ポットが崩れやすくなるといった問題がある。加えて、仮に、発泡樹脂ブロックの隙間に水が浸入した場合においても、当該水を外部に排水することは困難であるため、発泡樹脂ブロック同士のずれが発生する等の虞もある。
【０００５】
さらに、特許文献１に開示されたように植生ポットと発泡樹脂ブロックの垂直面との間の隙間を解消した場合、植生ポットの内部に充填された土がネットから漏れ出て発泡樹脂ブロックの隙間（上下に隣接する発泡樹脂ブロックの界面）に入り込み、発泡樹脂ブロックを押し上げて、不陸の原因となる虞がある。
【０００６】
そこで、本発明は、内部の保水性、給水性又は排水性が改善され、不陸を抑制することも可能な盛土構造体及びその施工方法を提供することを課題とする。
【課題を解決するための手段】
【０００７】
上記課題を解決するために、本発明は以下の構成を採る。すなわち、
第１の本発明は、複数の発泡樹脂ブロックが積み重ねられて垂直面及び水平面が繰り返されてなる階段状の法面と、階段状の法面を覆って垂直面及び水平面が繰り返されてなる階段状の不織布層と、ネット及び該ネットの内側に充填された土又は土砂を備えるとともに、不織布層の水平面に設置される植生ポットと、を備える、盛土構造体である。
【０００８】
第１の本発明において、植生ポットが不織布層の垂直面に対して離隔して設置されており、植生ポットと不織布層との間に、砕石層、砂層、土層及び土砂層から選ばれる１種以上の層を備えていてもよい。
【０００９】
第１の本発明において、固定部材が不織布層の水平面を貫通して法面の水平面に固定されており、該固定部材に植生ポットのネットが固定されていることが好ましい。
【００１０】
第１の本発明において、植生ポットを構成するネットは、帯状の前側ネット、帯状の後側ネット、及び、前側ネットと後側ネットとを接続するジグザグ状の内側ネットを備え、内側ネットは前側及び後側にジグザグの頂点を有し、ジグザグの前側の頂点において、前側ネットと内側ネットとが、前側連結材を介して連結され、ジグザグの後側の頂点において、後側ネットと内側ネットとが、後側連結材を介して連結されていることが好ましい。
【００１１】
ネットがこのような形態である場合、上述の固定部材に後側ネット及び／又は内側ネットが固定されていることが好ましい。
【００１２】
第２の本発明は、複数の発泡樹脂ブロックを積み重ねることにより、垂直面及び水平面を有する階段状の法面を形成する、法面形成工程と、階段状の法面を不織布で覆うことにより、垂直面及び水平面を有する階段状の不織布層を形成する、不織布層形成工程と、ネットと該ネットの内側に充填された土又は土砂とを備える植生ポットを、不織布層の水平面に設置する、植生ポット設置工程と、を備える、盛土構造体の施工方法である。
【００１３】
第２の本発明に係る植生ポット設置工程において、植生ポットを、不織布層の垂直面に対して離隔するように設置し、不織布層の垂直面と植生ポットとの間に形成された隙間に、砕石、砂、土及び土砂から選ばれる１種以上を充填してもよい。
【００１４】
第２の本発明において、植生ポット設置工程が、不織布層の水平面を貫通させて法面の水平面に固定部材を固定する、固定部材設置工程と、固定部材にネットを固定する、ネット固定工程と、ネットの内側に土又は土砂を充填して植生ポットとする、充填工程と、を備えることが好ましい。
【００１５】
第２の本発明において、植生ポットを構成するネットは、帯状の前側ネット、帯状の後側ネット、及び、前側ネットと後側ネットとを接続するジグザグ状の内側ネットを備え、内側ネットは前側及び後側にジグザグの頂点を有し、ジグザグの前側の頂点において、前側ネットと内側ネットとが、前側連結材を介して連結され、ジグザグの後側の頂点において、後側ネットと内側ネットとが、後側連結材を介して連結されていることが好ましい。
【００１６】
ネットがこのような形態である場合、上述の固定部材に後側ネット及び／又は内側ネットを固定することが好ましい。
【発明の効果】
【００１７】
本発明に係る盛土構造体においては、発泡樹脂ブロックと植生ポットとの間に形成された不織布層によって、盛土構造体内部の透水性を確保することができる。これにより、盛土構造体の内部の保水性、給水性又は排水性が改善される。また、植生ポットから漏れ出した土を不織布層によって捕捉できるため、発泡樹脂ブロックの隙間への土の侵入を抑制できる。このように、本発明によれば、内部の保水性、給水性又は排水性が改善され、不陸が抑えられた盛土構造体及びその施工方法を提供することができる。
【図面の簡単な説明】
【００１８】
【図１】第１実施形態に係る本発明の盛土構造体１００について説明するための概略図である。
【図２】不織布層の一例について説明するための概略図である。
【図３】ネットの一例について説明するための概略図である。
【図４】第２実施形態に係る本発明の盛土構造体２００について説明するための概略図である。
【図５】第３実施形態に係る本発明の盛土構造体３００について説明するための概略図である。
【図６】第４実施形態に係る本発明の盛土構造体４００について説明するための概略図である。
【図７】盛土構造体１００の施工方法を説明するための概略図である。
【図８】盛土構造体２００の施工方法を説明するための概略図である。
【図９】盛土構造体３００の施工方法を説明するための概略図である。
【図１０】盛土構造体４００の施工方法を説明するための概略図である。
【図１１】ネットの変形例を説明するための概略図である。
【発明を実施するための形態】
【００１９】
１．盛土構造体
１．１．第１実施形態
図１に第１実施形態に係る本発明の盛土構造体１００を概略的に示す。図１に示すように、盛土構造体１００は、複数の発泡樹脂ブロック４が積み重ねられて垂直面及び水平面が繰り返されてなる階段状の法面と、階段状の法面を覆って垂直面及び水平面が繰り返されてなる階段状の不織布層１と、ネット５及び該ネット５の内側に充填された土又は土砂を備えるとともに、不織布層１の水平面に設置される植生ポット１０と、を備えている。
【００２０】
１．１．１．発泡樹脂ブロック４
盛土構造体１００において発泡樹脂ブロック４は、垂直面及び水平面を有するものであって、軽量盛土を構成するブロックとして従来から用いられてきたものを、特に限定されることなく用いることができる。例えば、発泡スチロールブロック等が挙げられる。発泡樹脂ブロック４は垂直面及び水平面を有していればよく、その大きさは特に限定されるものではない。盛土構造体の設計に合わせて適宜決定すればよい。尚、発泡樹脂ブロック４自体は公知であり、例えば、ＪＳＰ社製「スチロダイアブロック」として市販されている。
【００２１】
１．１．２．不織布層１
盛土構造体１００において不織布層１は、上記の発泡樹脂ブロック４の階段状の垂直面及び水平面を覆っており、それに伴い、不織布層１自体も垂直面及び水平面を有する階段状である。不織布層１は不織布が階段状に折り曲げられた層であってもよいし、不織布を適当な大きさに調整することにより、折り曲げ部を有さない層としてもよい。不織布層は、水平方向に一連とされていてもよいし、垂直方向に一連とされていてもよいが、本発明においては、不織布層１は法面の上段から下段に向かって一連とされていることが好ましい。これにより、盛土構造体１００の上段から下段に向かって連続的な透水性を確保できる。
【００２２】
不織布層１の例として、図２に、不織布層１ａ、１ｂ、１ｃを示す。図２（Ａ）に示すように、不織布層１は１枚の不織布１’からなる層１ａであってもよいし、図２（Ｂ）に示すように複数枚の不織布１’が重ねられた複層構成の層１ｂであってもよい。さらに、図２（Ｃ）に示すように、一の不織布１’と他の不織布１’との間に何らかの機能層１ｘが設けられたような層１ｃであってもよい。
【００２３】
不織布層１を構成する不織布は、盛土構造体１００に適用された場合において、透水性が高く、長期的に目詰まりを生じず、材料の強度が高く、また化学的変質に対して安定な材料を選定する。特に、植生ポットに充填される土又は土砂よりも高い透水性、排水能力を確保できるものを選定する。また、曲げ易さ等の施工性を考慮した場合は、薄い不織布を用いることが好ましい。
【００２４】
不織布層１を構成する不織布の材質は、特に限定されるものではないが、樹脂により構成されたものが好ましい。樹脂の具体例としては、ポリオレフィンやポリエステルが挙げられ、特にポリプロピレンが好ましい。このような樹脂からなる繊維を絡み合わせる等して不織布を構成することで、強度や化学的変質に対してより安定な不織布層１を構成できる。また、不織布層１としては、良好な引張補強効果、排水性の点から、ポリプロピレン不織布と高強度ポリエステル繊維を一体化したものも、好ましく使用できる。
【００２５】
不織布層１を構成する不織布の厚さは特に限定されるものではないが、図２（Ａ）、（Ｂ）のように不織布のみよって構成された不織布層１ａ、１ｂとする場合は、１枚あたりの不織布１’の厚さを１ｍｍ以上３０ｍｍ以下とすることが好ましい。下限がより好ましくは２ｍｍ、上限がより好ましくは１０ｍｍ、さらに好ましくは５ｍｍである。不織布が薄過ぎると、不織布が面方向に十分な透水性を有さず、盛土構造体１００において十分な保水性、給水性又は排水性を確保できなかったり、発泡樹脂ブロックの隙間に土や土砂が入り込むことによって不陸が発生する場合がある。また、不織布が厚過ぎると、法面に沿って階段状に折り曲げることが困難となり、施工性に劣る。
【００２６】
図２（Ａ）、（Ｂ）のような不織布層１ａ、１ｂにおいて、不織布１’の単位面積当たりの質量は好ましくは２００ｇ／ｍ２以上１０００ｇ／ｍ２以下、より好ましくは２５０ｇ／ｍ２以上５００ｇ／ｍ２以下である。不織布の単位面積当たりの質量が小さ過ぎると、不織布の強度が劣る傾向にある。一方、当該質量が大き過ぎると、不織布が過剰に緻密となって、十分な透水性を確保できない場合がある。
【００２７】
図２（Ａ）、（Ｂ）のような不織布層１ａ、１ｂは、盛土構造体１００のように植生ポット１０による拘束圧がかかった状態において大きな透水性能を有していることが好ましい。具体的には、温度２０℃、拘束圧１００ｋＰａの場合に、不織布層の面方向透水性能が０．０１ｃｍ２／ｓ以上であることが好ましい。より好ましくは０．０５ｃｍ２／ｓ以上、さらに好ましくは０．１ｃｍ２／ｓ以上、特に好ましくは０．２ｃｍ２／ｓ以上である。尚、不織布層（不織布）の面方向透水性能は、ＩＳＯ１２９５８に従って測定することができる。
【００２８】
図２（Ａ）、（Ｂ）のような不織布層１ａ、１ｂを構成し得る不織布としては、三菱樹脂インフラテック社製「ダイヤベース」を好適に用いることができる。
【００２９】
一方、図２（Ｃ）のように機能層１ｘを設ける場合は、不織布の厚みを薄くすることができ、例えば１ｍｍ未満とすることも可能である。機能層１ｘとしては、例えばエンボス加工された樹脂板を採用することができる。すなわち、面方向通水性を有する凹凸の樹脂板を不織布と不織布との間に配置してなる板状排水材を用いて不織布層１ｃを構成することができる。この場合、不織布によって不織布層１ｃ内に土砂が流入することを防止できる一方、樹脂板によって複合体の内部における面方向の透水性能を確保することができる。
樹脂板の材質は、特に限定されるものではないが、硬質塩化ビニルであることが好ましい。不織布の材質も、特に限定されるものではないが、樹脂により構成されたものが好ましく、ポリオレフィンやポリエステルが挙げられ、特にポリエステルが好ましい。樹脂板と不織布を組み合わせて不織布層１を構成することで、強度や化学的変質に対してより安定な不織布層１とすることができる。
【００３０】
図２（Ｃ）のような不織布層１ｃを構成し得る板状排水材としては、三菱樹脂インフラテック社製「ダイヤドレーン」を好適に用いることができる。
【００３１】
１．１．３．植生ポット１０
植生ポット１０は上方に開口したもので、開口の内側に土又は土砂が充填されている。具体的には、植生ポット１０は、ネット５及び該ネット５の内側に充填された土又は土砂を備えており、上記した不織布層１の水平面に設置されている。植生ポット自体は従来公知のものをいずれも採用可能である。以下、好ましい形態を説明する。
【００３２】
（ネット５）
植生ポット１０において、ネット５は、植生ポット５の内壁の少なくとも一部（好ましくは全部）を構成している。ネット５の形態は特に限定されるものではないが、図３に示すようなものが好ましい。図３に示すように、好ましい形態のネット５は、帯状の前側ネット５ｘ、帯状の後側ネット５ｙ、及び、前側ネット５ｘと後側ネット５ｙとを接続するジグザグ状の内側ネット５ｚを備え、内側ネット５ｚは前側及び後側にジグザグの頂点７ｘ、７ｙを有し、ジグザグの前側の頂点７ｘにおいて、前側ネット５ｘと内側ネット５ｚとが、前側連結材６ｘを介して連結され、ジグザグの後側の頂点７ｙにおいて、後側ネット５ｙと内側ネット５ｚとが、後側連結材６ｙを介して連結されている。図３（Ｂ）に示すように、前側ネット５ｘと内側ネット５ｚとが互い違いとなるように、前側ネット５ｘの間隙に内側ネット５ｚの前側頂点７ｘを挿入したうえで、ここに前側連結材６ｘを差し込むことで、前側ネット５ｘと内側ネット５ｚとを容易に連結することができる。後側ネット５ｙと内側ネット５ｚとの連結についても同様である。図３に示すような各ネット５ｘ、５ｙ、５ｚは、例えば、高密度ポリエチレンやポリプロピレン等によって構成することができる。このようなネット５によれば、各ネット５ｘ、５ｙ、５ｚにより画定されるネット枠によって植生ポットの内壁を構成することができる。すなわち、当該ネット枠内に土又は土砂を充填することで、植生ポットを構成できる。また、植生ポットの内側には、（保水性）緑化マットを配置してもよい。
【００３３】
図３に示したようなネット５は意匠登録第１４４６９４７号として公知であり、例えば、三菱樹脂インフラテック社製「テンサー」として市販されている。
【００３４】
１．１．４．その他
盛土構造体１００において、植生ポット１０は不織布層１の水平面に載置されているだけでもよいし、何らかの固定部材を介して発泡樹脂ブロック４に固定されていてもよい。特に、固定部材を介して発泡樹脂ブロック４に固定されていることが好ましい。固定部材の形状や設置箇所は特に限定されるものではない。好ましい形態については下記第３実施形態において詳述する。
【００３５】
また、図１に示すように、盛土構造体１００において、最下部の植生ポット１０ａの下部前面（下部垂直面）は土で覆われていることが好ましい。意図しない侵食を防ぐためである。
【００３６】
盛土構造体１００において、不織布層１の上端及び下端の位置は特に限定されるものではない。盛土構造体１００において、不織布層１の上端及び下端は盛土構造体内部に埋設されていてもよいし、盛土構造体外部に露出していてもよい。不織布層１全体が構造体内部に埋設されていても、外部に露出していても、盛土構造体内部の透水性を確保できる。結果として、盛土構造体１００の内部の保水性、給水性又は排水性を改善することができ、発泡樹脂ブロック４の不陸を抑えることもできる。
【００３７】
以上の通り、盛土構造体１００によれば、発泡樹脂ブロック４と植生ポット１０との間に形成された不織布層１によって、盛土構造体内部の透水性を確保することができる。これにより、盛土構造体１００の内部の保水性、給水性又は排水性が改善される。それにより、例えば、植生ポット１０の緑化を促進したり、法面の長期安定化が期待できるものと考えられる。また、植生ポット１０から漏れ出した土を不織布層１によって捕捉できるため、発泡樹脂ブロック４の隙間への土の侵入を抑制でき、発泡樹脂ブロック４の不陸を抑制できる。
【００３８】
１．２．第２実施形態
図４に第２実施形態に係る本発明の盛土構造体２００を概略的に示す。図４において、盛土構造体１００と同様の構成については同一符号を付し、適宜説明を省略する。図４に示すように、盛土構造体２００は、複数の発泡樹脂ブロック４が積み重ねられて垂直面及び水平面が繰り返されてなる階段状の法面と、階段状の法面を覆って垂直面及び水平面が繰り返されてなる階段状の不織布層１と、ネット５及び該ネット５の内側に充填された土又は土砂を備えるとともに、不織布層１の水平面に設置される植生ポット１０と、を備えている。加えて、盛土構造体２００は、植生ポット１０が不織布層１の垂直面に対して離隔して設置されており、植生ポット１０と不織布層１との間に、砕石層、砂層、土層及び土砂層から選ばれる１種以上の層２（以下、「砕石層等２」という場合がある。）が設けられている。
【００３９】
盛土構造体２００において、植生ポット１０と不織布層１の垂直面との間の間隔は、砕石層等２を設置可能な程度の隙間であればよい。例えば、１ｃｍ以上１０ｃｍ以下の間隔とすることが好ましい。より好ましくは２ｃｍ以上５ｃｍ以下である。
【００４０】
盛土構造体２００においては、砕石層等２を設けることによって、例えば、盛土構造体の垂直方向の透水性をさらに向上させることができる。すなわち、盛土構造体２００において、砕石層等２は、植生ポット１０よりも透水性に優れた層であってもよい。具体的には、砕石層等２は、植生ポット１０中に充填された土又は土砂よりも大きな、粒子或いは塊を含む層であることが好ましい。砕石層等２の透水係数（ＪＩＳ  Ａ１２１８に準拠）は、０．００１〜０．０１ｃｍ／ｓであることが好ましい。一方で、法面の緑化の点からは、砕石層等２は、植生ポット１０に使用する土又は土砂と同等のものを含む層であることも好ましい。
【００４１】
盛土構造体２００においては、法面が不織布層１によって覆われているため、仮に砕石層等２を設けたとしても、砕石層等２中の土等を不織布層１で捕捉することができる。よって、砕石層等２から発泡樹脂ブロック４の隙間に土等が入り込むことを防止でき、発泡樹脂ブロック４の不陸を抑えることができる。
【００４２】
尚、盛土構造体２００においては、植生ポット１０ａ、１０ｂ及び１０ｃのすべてについて、不織布層１との間の隙間に砕石層等２を設けるものとして説明したが、砕石層等２は一部の植生ポットと不織布層との間にのみ設けてもよい。
【００４３】
１．３．第３実施形態
図５に第３実施形態に係る本発明の盛土構造体３００を概略的に示す。図５において、盛土構造体１００と同様の構成については同一符号を付し、適宜説明を省略する。図５に示すように、盛土構造体３００は、複数の発泡樹脂ブロック４が積み重ねられて垂直面及び水平面が繰り返されてなる階段状の法面と、階段状の法面を覆って垂直面及び水平面が繰り返されてなる階段状の不織布層１と、ネット５及び該ネット５の内側に充填された土又は土砂を備えるとともに、不織布層１の水平面に設置される植生ポット１０と、を備えている。加えて、盛土構造体３００は、固定部材３が不織布層１の水平面を貫通して法面の水平面に固定されており、当該固定部材３に植生ポット１０のネット５が固定されている。
【００４４】
盛土構造体３００において、固定部材３は、植生ポット１０と法面の水平面（及び不織布層１の水平面）とを固定する棒状体であり、ある程度の剛性・柔軟性・強度等を備えている必要がある。この観点から、固定部材３は金属又はプラスチックからなることが好ましい。金属としては、鉄、ステンレス鋼、チタン、アルミニウム等が挙げられる。プラスチックとしては、ポリプロピレン、ポリエチレン、ポリ塩化ビニル、ＡＢＳ樹脂、ポリカーボネート、繊維強化プラスチック等が挙げられる。
【００４５】
固定部材３は、例えば、ネット５を掛止することによって植生ポット１０を固定する。例えば、ネット５が図２に示すような形態である場合、固定部材３に後側ネット５ｙ及び／又は内側ネット５ｚを掛止することによって固定することが可能である。
【００４６】
固定部材３は、例えば、不織布層１の水平面を貫通して法面に到達するように、不織布層１の水平面から垂直方向下方へと打ち込むことによって、法面の水平面に容易に固定できる。この際、固定部材３は、ネット５の高さ（図５の紙面上下方向幅）の半分以上の長さが、不織布層１の水平面から上方に突出していることが好ましい。この突出部分によって、ネット５を適切に掛止することができる。
【００４７】
固定部材３を法面の水平面に固定する場合、固定部材３と不織布層１の垂直面との間に若干の隙間を設けることが好ましい。後述するように、ハンマー等を用いた施工性が向上するためである。
【００４８】
このように、法面の水平面に固定された固定部材３によって植生ポット１０を固定する形態とすることで、後述するように、植生ポット１０を臨機応変に位置決めしながら設置することができる。また、盛土構造体３００において、固定部材３は不織布層１を貫通して設けられているため、不織布層１を固定する部材として兼用することができる。
【００４９】
１．４．第４実施形態
図６に第４実施形態に係る本発明の盛土構造体４００を概略的に示す。図６において、盛土構造体１００と同様の構成については同一符号を付し、適宜説明を省略する。図６に示すように、盛土構造体４００は、複数の発泡樹脂ブロック４が積み重ねられて垂直面及び水平面が繰り返されてなる階段状の法面と、階段状の法面を覆って垂直面及び水平面が繰り返されてなる階段状の不織布層１と、ネット５及び該ネット５の内側に充填された土又は土砂を備えるとともに、不織布層１の水平面に設置される植生ポット１０と、を備えている。加えて、盛土構造体４００は、法面のうちの一部がコンクリート版４０によって構成されている。法面の一部にコンクリート版４０を備えることにより、発泡樹脂ブロック４を積層する際に生じる不陸や段差をコンクリートの自重によりなじませて解消しやすく、発泡樹脂ブロック４の水平目地のずれが生じた場合にも調整が可能となり、荷重分散を効果的に行い発泡樹脂ブロック４への応力集中を防ぐことが容易といった利点がある。盛土構造体４００においては、当該コンクリート版４０の水平面の上方に設置される植生ポット１０ｃが、固定部材４３を介して、コンクリート版４０よりも上方に設置された発泡樹脂ブロック４ｃの水平面に固定されている。
【００５０】
固定部材４３は、発泡樹脂ブロック４ｃの水平面に打ち込まれる第１の部分と、第１の部分の上端から盛土構造体の前面に延びる第２の部分と、第２の部分の前面側先端から下方に延びるとともに植生ポット１０ｃを固定する第３の部分とから構成されており、全体として折り返し状とされている。固定部材４３は、例えば、固定部材３を折り曲げることによって容易に作製できる。
【００５１】
盛土構造体４００においては、コンクリート版４０の存在により、固定部材３を発泡樹脂ブロック４ｂの水平面へと打ち込むことができない。そのため、棒状の固定部材３に替えて、折り返し状の固定部材４３を用いることで、ネット５ｃ、ひいては植生ポット１０ｃを、固定部材４３を介して、発泡樹脂ブロック１０ｃにより構成される法面の水平面に適切に固定することができる。このように、法面の水平面に固定された固定部材４３によって植生ポット１０ｃを固定する形態とすることで、植生ポット１０ｃを臨機応変に位置決めしながら設置することができる。
【００５２】
尚、図６には表れていないが、固定部材４３の第１の部分によって、発泡樹脂ブロック４ｃにより構成される法面の水平面に、不織布層１を固定することもできる。
【００５３】
２．盛土構造体の施工方法
２．１．第１実施形態
図７を参照しつつ、第１実施形態に係る本発明の盛土構造体１００の施工方法（施工方法Ｓ１００）について説明する。図７（Ａ）〜（Ｆ）に示すように、施工方法Ｓ１００は、複数の発泡樹脂ブロック４ａ、４ｂ、４ｃを積み重ねることにより、垂直面及び水平面を有する階段状の法面を形成する、法面形成工程（Ｓ１）と、階段状の法面を不織布で覆うことにより、垂直面及び水平面を有する階段状の不織布層１を形成する、不織布層形成工程（Ｓ２）と、ネットとネットの内側に充填された土又は土砂とを備える植生ポット１０ａ、１０ｂ、１０ｃを、不織布層１の水平面に設置する、植生ポット設置工程（Ｓ３）とを備えている。
【００５４】
２．１．１．法面形成工程（Ｓ１）
Ｓ１は、複数の発泡樹脂ブロック４ａ、４ｂ、４ｃを積み重ねることにより、垂直面及び水平面を有する階段状の法面を形成する工程である。法面形成工程自体は公知の方法により実施可能であり、説明は省略する。図７（Ａ）に示すように、Ｓ１を経て、階段状の法面が形成される。
【００５５】
２．１．２．不織布層形成工程（Ｓ２）
Ｓ２は、階段状の法面を不織布で覆うことにより、垂直面及び水平面を有する階段状の不織布層１を形成する工程である。Ｓ２は、不織布層１を形成可能であれば具体的な手順は特に限定されるものではない。
【００５６】
例えば、図７（Ｂ）に示すように、不織布の捲回体（ロール１ｒ）を用意する。当該ロール１ｒの巻き出し部分を法面の最上段に適宜固定しつつ、ロール１ｒを当該最上段から転がり落とすようにして、法面の上部から下部へと不織布を展開することで、不織布で法面を容易に覆うことができる。尚、図７（Ｃ）に示すように、法面の垂直面と水平面との交差部分において不織布はある程度撓んでいてもよい。この場合、撓み量を考慮して、不織布の巻き出し量を調整する。すなわち、下記Ｓ３において植生ポット１０を設置することで不織布の撓みが徐々に解消され、不織布の上端位置が徐々に下がる（図７（Ｄ）〜（Ｆ）参照）ことを考慮して、Ｓ２においては不織布の上端が最上段の発泡樹脂ブロック４ｃの最前側よりも後ろ側となるように、不織布の長さにある程度の余裕を持たせるとよい。
【００５７】
或いは、法面の最上段にロール１ｒを設置し、ロール１ｒの巻き出し部分を下段に向かって引き出す（巻き出す）ようにして、法面の上部から下部へと不織布を覆うこともできる。この場合、捲き出し後の不織布の上端が、最上段のロール１ｒに繋がったまま（法面の最上段にロール１ｒが残ったまま）施工を進めることも可能であり、施工状況に応じて、不織布を追加で巻き出したり、或いは、捲き戻したりすることもできる。
【００５８】
もちろん、不織布を法面の下段から上段へと広げることで、法面を不織布で覆うこともできるし、不織布を法面の左右方向（図７の奥手前方向）に広げることで、法面を不織布で覆うこともできる。ただし、施工性の観点からは、ロール１ｒを用意して、ロール１ｒを転がり落とす、或いは、捲き出すことによって、法面を不織布で覆うことが好ましい。
【００５９】
２．１．３．植生ポット設置工程（Ｓ３）
Ｓ３は、ネットとネットの内側に充填された土又は土砂とを備える植生ポット１０ａ、１０ｂ、１０ｃを、不織布層１の水平面に設置する工程である（図７（Ｄ）〜（Ｆ））。植生ポット１０の設置については、不織布層１の水平面上に単に載置するだけでもよいし、何らかの固定部材によって強固に固定してもよい。特に、後述するように固定部材３を利用して強固に固定することが好ましい。或いは、この方法以外にも、従来公知の方法にて植生ポット１０を不織布層１の水平面に設置することができる。
【００６０】
以上の通り、施工方法Ｓ１００により、盛土構造体１００を容易に施工することができる（図７（Ｆ））。
【００６１】
２．２．第２実施形態
第２実施形態に係る本発明の盛土構造体２００の施工方法（施工方法Ｓ２００）について説明する。施工方法Ｓ２００において、法面形成工程や不織布層形成工程は、上述したＳ１、Ｓ２と同様とすることができる。
【００６２】
図８（Ａ）、（Ｂ）に示すように、施工方法Ｓ２００は、植生ポット設置工程（Ｓ３）において、植生ポット１０を、不織布層１の垂直面に対して離隔するように設置し、不織布層１の垂直面と植生ポット１０との間に形成された隙間に、砕石、砂、土及び土砂から選ばれる１種以上を充填する点に特徴を有する。砕石等の充填は従来公知の方法によればよい。
【００６３】
このようなＳ３を法面の下段側から上段側に向かって繰り返すことで、法面の下段側から上段側のいずれにおいても、不織布層１と植生ポット１０との間に砕石層等２を形成することができる。
【００６４】
以上の通り、施工方法Ｓ１００を応用した施工方法Ｓ２００により、盛土構造体２００を容易に施工することができる（図８（Ｃ））。
【００６５】
２．３．第３実施形態
第３実施形態に係る本発明の盛土構造体３００の施工方法（施工方法３００）について説明する。施工方法３００において、法面形成工程や不織布層形成工程は、上述したＳ１、Ｓ２と同様とすることができる。
【００６６】
図９に示すように、施工方法３００においては、植生ポット設置工程（Ｓ３）が、不織布層１の水平面を貫通させて法面の水平面に固定部材３を固定する、固定部材設置工程（Ｓ３−１）と、固定部材３に植生ポット１０のネット５を固定する、ネット固定工程（Ｓ３−２）と、ネット５の内側に土又は土砂を充填して植生ポット１０とする、充填工程（Ｓ３−３）とを備えている点に特徴を有する。
【００６７】
２．３．１．固定部材設置工程（Ｓ３−１）
Ｓ３−１は、不織布層１の水平面を貫通させて法面の水平面に固定部材３を固定する工程である。上述の通り、固定部材３は棒状体であり、ハンマー等で打ち込むことで、不織布層１及び発泡樹脂ブロック４を容易に貫通させることができる（図９（Ａ））。これにより、固定部材３を法面の水平面に強固に固定することができる。尚、上述の通り、固定部材３と不織布層１との間に隙間を設けることが好ましい。固定部材３をハンマー等で打ち込む際、不織布層１や発泡樹脂ブロック４にハンマーを誤って叩き付けることなく、固定部材３を所定の深さまで容易に打ち込むことができるためである。
【００６８】
２．３．２．ネット固定工程（Ｓ３−２）
Ｓ３−２は、固定部材３に植生ポット１０のネット５を固定する工程である。例えば、上述のＳ−１において、不織布層１の垂直面に沿って上方に延在するように固定部材１０を設置した場合、Ｓ３−２においては、不織布層１の水平面から上方に突出した固定部材３にネット５を掛止させることで（図３に示すようなネット５の場合は、上方に突出した固定部材３のさらに上方からネット５を挿し込むように掛止させることで）、固定部材３にネット５を固定することができる（図９（Ｂ））。ここで、図３に示すようなネット５を用いる場合は、ネット５の後側ネット５ｙ及び／又は内側ネット５ｚを固定部材３に固定することが好ましい。施工性に優れるためである。ただし、固定部材３にネット５を固定する形態としては、ネット５を固定部材３に掛止する形態以外に、ネット５を固定部材３に結び付ける形態等としてもよい。尚、固定部材３を引き抜き、再度打設することで、固定部材３の設置位置を臨機応変に変更可能である。
【００６９】
２．３．３．充填工程（Ｓ３−３）
Ｓ３−３は、ネット５の内側に土又は土砂を充填して植生ポット１０とする工程である（図９（Ｃ）、（Ｄ））。ネット５の内側に土又は土砂を充填する方法は、従来公知の方法によればよい。
【００７０】
尚、図３に示すようなネット５を設置する際は、折り畳まれたネット５を徐々に展開しながら、固定部材３に順次掛止させていくことも可能である。例えば、折り畳まれたネット５を途中まで展開して一の固定部材３に掛止し（Ｓ３−２）、展開により形成されたネット５の開口に土又は土砂を充填して植生ポットとし（Ｓ３−３）、引き続き、ネット５を展開して上記一の固定部材３の隣の固定部材３に掛止し（Ｓ３−２）、展開により形成されたネット５の開口に土又は土砂を充填し（Ｓ３−３）、以下これらを繰り返すことも可能である。また、施工方法Ｓ３００において、Ｓ３−１〜Ｓ３−３を同時並行で行ってもよい。
【００７１】
以上の通り、施工方法Ｓ１００において、Ｓ１及びＳ２の後、上述のＳ３−１〜Ｓ３−３を繰り返すことにより、盛土構造体３００を容易に施工することができる（図９（Ｅ））。
【００７２】
２．４．第４実施形態
第４実施形態に係る本発明の盛土構造体４００の施工方法（施工方法４００）について説明する。施工方法４００において、法面形成工程や不織布層形成工程は、上述したＳ１、Ｓ２と同様とすることができる。ただし、法面形成工程において、発砲樹脂ブロック４ｂの上面にコンクリート版４０を設置し、その上に、発砲樹脂ブロック４ｃを積み上げることで、法面の垂直面及び水平面の一部をコンクリート版４０で構成するものとする。コンクリート版４０の設置方法について従来公知の方法によればよい。
【００７３】
図１０に示すように、施工方法Ｓ４００においては、植生ポット設置工程において、まず、Ｓ３−１〜Ｓ３−３と同様の方法等によって、植生ポット１０ｂまで設置する。ここで、図１０に示すように、施工方法Ｓ４００においては、コンクリート版４０の存在により、固定部材３を発泡樹脂ブロック４ｂの水平面へと打ち込むことができない。そのため、植生ポット１０ｃを設置するにあたっては、棒状の固定部材３に替えて、折り返し状の固定部材４３を用いる点に特徴がある。
【００７４】
施工方法Ｓ４００では、固定部材４３の第１の部分を発泡樹脂ブロック４ｃの水平面にハンマー等で打ち込む（図１０（Ａ））。その後、或いは、打ち込みと並行して、ネット５ｃを固定部材４３の第３の部分に掛止することで、ネット５ｃを不織布層１の水平面に設置しつつ、固定部材４３を介して、発泡樹脂ブロック１０ｃの水平面に適切に固定することができる（図１０（Ｂ））。その後、或いは、打ち込みや掛止と並行してネット５ｃの内側に土又は土砂を充填することで（図１０（Ｃ））、植生ポット１０ｃとすることができる（図１０（Ｄ））。このように、法面の水平面に固定部材４３を固定し、当該固定部材４３に植生ポット１０ｃを固定する形態とすることで、植生ポット１０ｃを臨機応変に位置決めしながら設置することができる。
【００７５】
以上の通り、施工方法Ｓ１００と施工方法Ｓ３００とを応用しつつ、固定部材４３を利用することで、コンクリート版４０が形成された法面に対しても、植生ポット１０ｃを適切に固定することができ、盛土構造体４００を容易に施工することができる。
【００７６】
以上、本発明に係る盛土構造体や盛土構造体の施工方法について説明したが、本発明の形態は上記説明の形態に限定されるものではない。
【００７７】
例えば、上記説明では、盛土構造体２００〜４００をそれぞれ個別に説明したが、本発明に係る盛土構造体は、上記の盛土構造体２００〜４００が組み合わされたような形態であってもよい。
【００７８】
また、上記説明では、植生ポットを構成するネットとしてネット５を具体的に示したが、ネットの形態はこの形態に限定されない。植生ポットの内壁の少なくとも一部を構成するネットであればどのような形態であってもよい。例えば、図１１（Ａ）に示すような筒状のネット１５であってもよい。或いは、図１１（Ｂ）に示すような一本の帯状のネット２５であってもよい。ただし、植生ポットの内壁をネットのみで構成することができ、盛土構造体の施工時の作業性にも優れることから、図３に示すようなネット５ｘ、５ｙ、５ｚ等を備えたネット５とすることが好ましい。
【００７９】
また、上記説明では、盛土構造体３００において、植生ポット１０の後側が、固定部材３を介して、法面の水平面に固定される形態について説明したが、固定部材３の位置はこれに限定されるものではない。例えば、上方の植生ポット１０の前側が、固定部材３を介して、下方の植生ポットに充填された土又は土砂に固定される形態としてもよい。好ましくは、植生ポット１０の前側及び後側の双方を固定する。この場合、植生ポット１０の前側及び後側の双方を固定した後に、上記Ｓ３−３の充填工程を行うことが好ましい。
【産業上の利用可能性】
【００８０】
本発明によれば、発泡樹脂ブロックを利用した法面に植生ポットを形成した盛土構造体において、当該盛土構造体の内部の保水性、給水性又は排水性を改善することができる。例えば、植生ポットの緑化を促進することができるものと考えられる。
【符号の説明】
【００８１】
１  不織布層
１’  不織布
１ｘ  機能層
２  砕石層等
３  棒状の固定部材
４３  折り曲げ状の固定部材
４（４ａ、４ｂ、４ｃ）  発泡樹脂ブロック
５（５ａ、５ｂ、５ｃ）  ネット
５ｘ  前側ネット
５ｙ  後側ネット
５ｚ  内側ネット
６ｘ  前側連結材
６ｙ  後側連結材
７ｘ  前側の頂点
７ｙ  後側の頂点
１００、２００、３００、４００  盛土構造体
【図１】
0006730021.tif 000002
【図２】
0006730021.tif 000003
【図３】
0006730021.tif 000004
【図４】
0006730021.tif 000005
【図５】
0006730021.tif 000006
【図６】
0006730021.tif 000007
【図７】
0006730021.tif 000008
【図８】
0006730021.tif 000009
【図９】
0006730021.tif 000010
【図１０】
0006730021.tif 000011
【図１１】
0006730021.tif 000012